(57)【要約】【課題】  傘から流れ落ちた水が傘立ての外に流れ出ないように底板とこれに立設された板体とによりその内部が閉じられて形成されながら、その内部に収納された傘から流れ落ちた水が溜まることで、その水によって傘（特にその先端）を濡らさない傘立てを提供する。【解決手段】  本発明の傘立て１は、底板２とこれに立設された他の板材とにより閉じられて上面に相当する箇所が解放され、底板２は、そこから上面に相当する箇所に向けて隆起した傘置き部２１を有し、さらに、閉じられた内部が傘から流れ落ちた水によって蒸れることを防いだり、傘立て１の外から傘の有無を視認させたりするために、前板３の一部が切り欠かれて開口部３１が形成されている。【選択図】図３
2017064289.tif 000002
【特許請求の範囲】
【請求項１】
底板とこれに立設された他の板体とにより閉じられて前記底板に対向する位置が解放されて解放部が形成された傘立てであって、
前記底板は、傘置き部を有し、
当該傘置き部は、前記底板から前記解放部に向けて隆起した隆起部からなり、
当該隆起部は、
前記底板に対して起立した起立部と、前記隆起部の頂上に平面状に形成された頭頂部と、を有する、
傘立て。
【請求項２】
前記頭頂部の面積は、前記底板の面積よりも小さい、
請求項１に記載の傘立て。
【請求項３】
前記隆起部の断面形状と前記頭頂部の平面形状との関係は、略相似の図形である、
請求項１および請求項２に記載の傘立て。
【請求項４】
前記頭頂部の略中央に、前記底板に向けて窪んだ窪み部を有する
請求項１乃至請求項３のいずれかに記載の傘立て。
【請求項５】
前記他の板体は、その一部に開口部を有する、
請求項１乃至請求項４のいずれかに記載の傘立て。
【発明の詳細な説明】
【技術分野】
【０００１】
本発明は、板体により囲まれて形成された傘立てに関する。
【背景技術】
【０００２】
従来の傘立てには、外枠を骨組みとする仮想略直方体状に形成され、そのうちの下面に相当する箇所に傘の先端（傘を傘立てに収納したときに仮想略直方体状の下面に相当する箇所に当接する一側端）を受ける底板を備えたものがある。
【０００３】
傘には、非折り畳み式である長傘と、２段や３段で折り畳まれる折り畳み傘とがあり、折り畳まれた状態の折り畳み傘を長傘が収納される高さを有する傘収納部に収納すると、当該折り畳み傘の長さは傘収納部の高さに満たないため、当該折り畳み傘は外枠や支持材による支持を受けることなく本体受け皿の上に倒れた状態で載置されて取り出しにくい状態となることから、補助枠を介して傘収納部に対して底上げした補助受け皿を設けることで、折り畳み傘が補助枠の支持を受けて補助受け皿の上で起立した状態で収容されることができる補助収納部が連設された傘収納部が知られている（例えば特許文献１）。
【先行技術文献】
【特許文献】
【０００４】
【特許文献１】実開平０６−０３８７５９号公報
【発明の概要】
【発明が解決しようとする課題】
【０００５】
このような傘立ては、特許文献１第１図および同第３図に示されるように、長傘を収納する傘収納部の内側に折り畳み傘を収納する補助収納部が連設されていると、傘収納部が本来有するべき容積の一部が補助収納部となることから、それにより長傘を収納する本数が減らされ、さらに、補助受け皿は本体受け皿に対して底上げされていることから、補助受け皿と本体受け皿とに挟まれた箇所には、傘を収納することができないデッドスペースが生じるという問題がある。
【０００６】
他方、特許文献１第２図に示されるように、傘収納部の外側に補助収納部が連設されていると、傘収納部の容積に対して補助収納部の容積が付加されて、傘立て全体の体積が大きくなり、当該傘立てを設置するスペースを大きく確保しなくてはならないという問題がある。
【０００７】
このように、傘収納部のどの位置に補助収納部を連接するかは、収納する傘の量や傘立てを設置するスペースの広さなどを考慮して選択されることが好ましいが、傘収納部に補助収納部が固定されて連設されていると、このような選択を随時変更することが不可能となる。
【０００８】
さらに、補助収納部に雨などで濡れた折り畳み傘が収納され続けると、当該折り畳み傘から流れ落ちた水が補助受け皿に溜まり、その状態が維持されると折り畳み傘の先端は濡れたままとなるばかりか、他の濡れた折り畳み傘を追加して収納することで補助受け皿の水位が上がって補助受け皿を囲む補助枠の高さを超えたら、その水は補助収納部からその外に落ちることになり、傘立てを設置した箇所を濡らすことになる。
【０００９】
つまり、長傘を収納する傘収納部の内側に折り畳み傘を収納する補助収納部が連設されていると、補助受け皿に溜まった水が本体受け皿や長傘の上に落ちてこれらを濡らし、傘収納部の外側に補助収納部が連設されていると、助受け皿に溜まった水が傘立てを設置した箇所の床面を濡らすことになる。
【００１０】
本発明は、濡れた傘を傘立てに収納した場合において、その傘から流れ落ちた水が傘立ての底板に溜まることで傘の先端およびその近傍を濡らし続けることなく、かつその水が外に流れ出ない傘立てを提供することを目的とするものである。
【課題を解決するための手段】
【００１１】
本発明の傘立ては、底板とこれに立設された他の板体とにより閉じられて前記底板に対向する位置が解放されて解放部が形成された傘立てであって、前記底板は、傘置き部を有し、当該傘置き部は、前記底板から前記解放部に向けて隆起した隆起部からなり、当該隆起部は、前記底板に対して起立した起立部と、前記隆起部の頂上に平面状に形成された頭頂部と、を有する。
【００１２】
底板が傘置き部を有することにより、本発明の傘立てに傘が収納されるとその先端が頭頂部に載置されるため、その傘が濡れていたのであれば、傘に付着した水は頭頂部に流れ落ちた後さらに底板に流れ落ちる。
【００１３】
前記頭頂部の面積は、前記底板の面積よりも小さい。
【００１４】
また、頭頂部の面積は、閉じた状態の傘の最大断面積と略同じであってもよく、そのような断面積を有する多角形状や略円形状であってもよい。
【００１５】
さらに、隆起部の底部の面積は、底板の面積より小さく頭頂部の面積より大きくてもよい。このような形状であれば、起立部は傾斜した状態で底板に対して起立することになるため、傘から頭頂部に流れた水は起立部の傾斜に沿って底板に向けて流れ落ちることになる。
【００１６】
前記隆起部の断面形状と前記頭頂部の平面形状との関係は、略相似の図形である。
【００１７】
隆起部の断面形状が円形であれば頭頂部の平面形状も円形であり、つまり、この場合の隆起部は、起立部を側面とする円錐を或る高さの位置で切り取ってその断面を頭頂部としたような形状である。同様に、隆起部の断面形状と頭頂部の平面形状とがそれぞれ相似の角形であれば、角錐を切り取ったような形状となる。
【００１８】
さらに、前記頭頂部の略中央に、前記底板に向けて窪んだ窪み部を有する。
【００１９】
この窪み部は、傘の先端が嵌ることを受容するもので、傘の先端がこの窪み部に嵌ることで頭頂部において傘の先端の位置が固定されて、傘が傘立てに安定して収納される。
【００２０】
前記他の板体は、その一部に開口部を有する。
【発明の効果】
【００２１】
本発明の傘立ては、底板と前板と背面と両側板とにより閉じられて前記底板に対向する位置が解放されて解放部が形成された箱体から成るため、濡れた傘を傘立てに収納した場合において、その傘から流れ落ちた水は傘立ての底板に溜まって傘立ての外に流れ出ない。これにより、傘立てを設置した箇所が傘から流れ落ちた水によって濡れることが防がれる。
【００２２】
これに加え、傘置き部は底板から隆起した隆起部から成るため底板と頭頂部との間に一定の距離を有するから、傘立てに収納された傘から流れ落ちて底板の上に溜まった水の水面が頭頂部にまで至りづらく、さらに、そのような傘の先端は頭頂部の窪み部に接するのみで底板には接しないから、傘が自らから流れ落ちた水によって再びその先端およびその近傍が濡らされることが無い。
【００２３】
さらに、このような構成によれば、傘立ての内側は、その底板に留まった水により湿気がこもることが懸念されるため、傘立ての一面、好適にはその前面に位置する前板に開口部を有することで、その開口部から湿気を逃がすとともに、とくに傘立ての高さとそれに収納される傘の長さとが近い関係にあって傘立ての解放部及びその近傍で収納された傘を視認しづらい場合であっても、傘が収納されていることを開口部から容易に視認することができる。
【図面の簡単な説明】
【００２４】
【図１】本発明の傘立ての斜視図
【図２】本発明の傘立ての平面図
【図３】傘を収納した状態のＡ―Ａ線断面図
【図４】傘を収納していない状態のＢ―Ｂ線拡大図
【図５】傘を収納した状態のＢ―Ｂ線拡大図
【図６】本発明の傘立てを他の傘立てに固定した状態を示す斜視図
【発明を実施するための形態】
【００２５】
以下、図面を参照しながら本発明の実施形態を説明する。なお、本明細書において、特に説明が無い限り、図２において視認される左右方向を傘立ての左右方向とし、解放部６から底板２に至る方向を傘立ての上下方向とし、前板３から背板５に至る方向を傘立ての前後方向とする。
【００２６】
図１及び図２に示される傘立て１は、底板２と前板３と背板５と両側板４とにより閉じられて上面に相当する箇所が解放されて解放部６が形成された箱体から成り、さらに、その箱体の内部が傘から流れ落ちた水によって蒸れることを防いだり、その箱体の外から傘の有無を視認させたりするために、前板３の一部が切り欠かれて開口部３１が形成されている。なお、ここでは、傘立て１を底板２と前板３と背板５と両側板４とを有する略直方体を呈するものとして説明しているが、このような形状に限られるものではなく、底板２とこれに立設された他の板材と解放部６とを備えていていれば、他の形状が採用されてもよい。
【００２７】
図２は、本発明の傘立てを解放部６から底板２に向けて見た状態を示した平面図である。この図において、底部２１１と頭頂部２１３と窪み部２１４とが同心円として視認され、起立部２１２は、底部２１１の外周と頭頂部２１３の外周との間に位置するものとして視認される。
【００２８】
図２において、底部２１１の外周と頭頂部２１３の外周との間の幅と、頭頂部２１３の外周と窪み部２１４の外周との間の幅と、窪み部２１４の直径と、が略同じであると視認されるように形成されると、デザイン上の観点から好適であるが、必ずしもこのような関係に無くてもよく、傘収納部１１に収納される傘の大きさや長さに応じて、底部２１１及び頭頂部２１３の大きさや隆起部２１０の高さや窪み部２１４の大きさとしてそれぞれ好適なものが決定されればよい。
【００２９】
図２に示す傘立ては、複数の傘収納部１１が仕切り板４１を介して互いに隣接しており、これら各傘収納部１１は、その前後を前板３と背板５とに囲まれるとともに底面に相当する位置に底板２を有し、これに加えて、内側に位置する傘収納部１１は左右を仕切り部４１に囲まれ、両端に位置する傘収納部１１は左右を側板４と仕切り部４１とに囲まれて、それぞれ箱体を形成しているが、傘立てが一の傘収納部１１のみからなるのであれば、そのような傘収納部１１は、その左右を側板４に囲まれることになる。
【００３０】
図３に示されるように、傘立て１に傘７を収納すると、傘７の先端７１が窪み部２１４に受容されるとともに、傘７の外周面が、前板３、側板４、仕切り板４１、背板５、のいずれか若しくは全てに当接すれば、傘７は、傘収納部１１の内側で各板に立て掛けられて傘置き部２１に対して起立した状態が維持される。
【００３１】
前板３と背板５とは略平行な関係で底板２に対して起立していながら前板３の解放部６の近傍において背板５から離れる方向に傾斜した傾斜部３２が設けられ、前板３の上端と背板５の上端との距離（解放部６の前後方向の幅）は、前板３の下端と背板５の下端との距離（底板２の前後方向の幅）よりも大きく形成されている。
【００３２】
ところで、前板３と背板５との距離を設定するにあたり、次のような課題がある。すなわち、傘７を傘収納部１１に収納するために解放部６から底板２に向けて挿入する場合において、前板３と背板５との距離が小さいと、傘７の先端近傍が前板３および背板５の上端に引っかかって挿入しづらいが、前板３と背板５との距離が大きいと、収納部１１に収納された傘７と前板３および背板５との間に隙間が生じることにより傘７が収納部１１の内部で安定的に起立状態が維持されない。
【００３３】
これに対し、前板３と背板５との距離が傘７を固定するのに好適な程度に小さく設定されながら解放部６の前後方向の幅が傘の大きさに対して十分に大きくなるように、前板３の解放部６の近傍に傾斜部３２が形成されていれば、そのような傘立て１の傘収納部１１に傘７を収納するために傘７を解放部６から底板２に向けて挿入すると、傘７の先端近傍が、前板３および背板５の上端に引っかかることなく傾斜部３２の内側の面を摺動し、さらに挿入を進めると傾斜部３２の位置を越えて前板３と背板５との間の位置に至って、その後先端７１が傘置き部２１の位置に到着することで傘７が傘収納部１１に収納される。このように収納された傘７は、傘収納部１１の内部（前板３と背板５との間）であって傾斜部３２より下の位置において安定的に起立状態が維持される。
【００３４】
図４に示されるように、傘置き部２１は、前記底板から前記解放部に向けて隆起した隆起部２１０からなり、その隆起部２１０は、底板２に対して起立した起立部２１２とその頂上に平面状に形成された頭頂部２１３とを有し、さらに頭頂部２１３の略中央には底板２に向かう方向に窪んだ窪み部２１４を有する。
【００３５】
図５は、傘収納部１１に濡れた傘７が収納された状態を示すもので、この図において示される矢印は、傘に付着した水が流れ落ちる方向を概念的に示したものである。
【００３６】
傘７に付着した水は、傘の外周から底板２に直接落ちたり、頭頂部２１３に落ちてから傾斜状を呈する起立部２１２の表面に沿って底板２に向かって流れ落ちたりして、底板２の上に水たまり８が生じることで、水たまり８の水位（底板２から水たまり８の水面までの距離）が隆起部２１０の高さ（底板２から頭頂部２１３までの距離）に至らない限りにおいて、傘７から流れ落ちた水は再び傘７に付着することはない。
【００３７】
水たまり８の水位が隆起部２１０の高さを超えてしまうと、傘７（特に先端７１の近傍）は水たまりに浸かることになり、傘７は自らから流れ落ちた水により再び濡れてしまうことになるから、傘７を再び濡らさない傘立て１であるためには隆起部２１０の高さは高ければ高いほどよいが、隆起部２１０の高さが高いと、傘７が傘収納部１１の内部で安定的に起立状態が維持される為には、その高さに応じて、前板３、側板４、仕切り板４１、背板５、のうち少なくともいずれか、好適には二以上の板材の高さも高くなければならない、換言すると傘立て１が大きいものとならざるを得ない。
【００３８】
傘立て１が折り畳み傘のような小さい傘を収納するためものであるなら、傘７から流れ落ちる水の量が多くないので、傘立て１を小さいものとすべく隆起部２１０の高さを低めに設定すればよいし、傘立て１が長傘を収納するためものであるなら、傘７から流れ落ちる水の量が多いことを想定し、さらに傘立て１は大きいものであってもよいので、隆起部２１０の高さを高めに設定すればよい。このように、傘立て１の用途に応じて隆起部２１０の高さを決定すればよい。
【００３９】
さらに、背板５には、背板５の上端から、前板３に向かう方向とは逆の方向に起立した起立板５１が設けられ、その起立板５１には、図示しない紐状物を挿通させるための挿通孔５２を有することに加え、さらに、背板５には磁性体シート５３が貼り付けられていてもよい。
【００４０】
このように形成されることで、図６に示すように、傘立て１が他の傘立て９やその他の構造物に対して、紐状物を結びつけたり、磁性体シート５３の磁力により取り付けられたりしてもよい。
【００４１】
傘立て１が他の傘立て９に対して着脱可能に形成されていれば、長傘が収納される他の傘立ての内側に傘立て１を装着するか、図６に示すように、長傘が収納される他の傘立ての外側に傘立て１を装着するか、収納する傘の量や傘立てを設置するスペースの広さなどを考慮していずれかを選択して、傘立て１を折り畳み傘が収納される補助傘立てとして用いればよいし、これに限られず、傘立て１をその他の構造物に対して装着して用いてもよい。
【００４２】
以上の通り、本発明によれば、傘から流れ落ちた水が傘立ての外に流れ出ないように底板とこれに立設された板体によりその内部が閉じられながら、その内部に溜まった水によって収納された傘を濡らさない傘立てを提供することができる。
【符号の説明】
【００４３】
１  傘立て
１１  傘収納部
２  底板
２１  傘置き部
２１０  隆起部
２１１  底部
２１２  起立部
２１３  頭頂部
２１４  窪み部
３  前板
３１  開口部
４  側板
４１  仕切り板
５  背板
５１  起立板
５３  磁性体シート
５２  挿通孔
６  解放部
７  傘
７１  傘の先端
８  水たまり
９  他の傘立て
９１  他の傘立てに収納された傘
【図１】
2017064289.tif 000003
【図２】
2017064289.tif 000004
【図３】
2017064289.tif 000005
【図４】
2017064289.tif 000006
【図５】
2017064289.tif 000007
【図６】
2017064289.tif 000008